(57)【要約】【課題】底部または胴部の径よりも入り口の口径が小さく、入り口の口径よりも深さが深い胴長の食器の内部を良く洗うことができる食器洗い機を提供すること。【解決手段】洗浄槽内に還流する洗浄水を吸い込み／加圧して回転洗浄ノズルに供給する洗浄ポンプとを備える食器洗い機にあって、底部または胴部の径よりも入り口の口径が小さく、入り口の口径よりも深さが深い胴長の食器を入り口が下向になるように保持できる保持部材を食器収納かごに設け、下向に保持される食器の下方に上向噴射孔が来るように回転洗浄ノズルの回転を拘束する回転拘束手段を設けたことを特徴とする。【選択図】  図３
2005185664.tif 000002
【特許請求の範囲】
【請求項１】
洗浄槽と、この洗浄槽内に備えられる食器収納かごと、この食器収納かごの下側に位置し、かつ洗浄水を噴射する上向噴射孔を有する回転洗浄ノズルと、前記洗浄槽内に還流する洗浄水を吸い込み／加圧して前記回転洗浄ノズルに供給する洗浄ポンプとを備える食器洗い機にあって、
底部または胴部の径よりも入り口の口径が小さく、入り口の口径よりも深さが深い胴長の食器を入り口が下向になるように保持できる保持部材を前記食器収納かごに設け、
下向に保持される前記食器の下方に前記上向噴射孔が来るように前記回転洗浄ノズルの回転を拘束する回転拘束手段を設けたことを特徴とする食器洗い機。
【請求項２】
洗浄槽と、この洗浄槽内に備えられる食器収納かごと、前記洗浄槽に洗浄水を給水する給水手段と、食器収納かごの下側に位置し、かつ洗浄水を噴射する上向噴射孔を有する回転洗浄ノズルと、前記洗浄槽内に還流する洗浄水を吸い込み／加圧して前記回転洗浄ノズルに供給する洗浄ポンプと、洗浄水を前記洗浄槽より排出する排出手段と、洗浄水や乾燥空気を加熱する加熱手段と、乾燥空気を送風する送風手段と、前記給水手段、前記洗浄ポンプ、前記排出手段、前記加熱手段、および前記送風手段を制御する制御手段を備える食器洗い機において、
底部または胴部の径よりも入り口の口径が小さく、入り口の口径よりも深さが深い胴長の食器が入り口を下向にして直立するように保持される保持部材を前記食器収納かごに設け、
下向に保持される前記食器の入り口に前記上向噴射孔が臨むように前記回転洗浄ノズルの回転を拘束する回転拘束手段を設けたことを特徴とする食器洗い機。
【請求項３】
請求項１または２に記載されている食器洗い機において、
前記上向噴射孔は、噴射方向がほぼ垂直で、かつ１個以上有し、
前記上向噴射孔が前記食器の入り口の下側に位置するように前記回転洗浄ノズルの回転を拘束する回転拘束手段を設けたことを特徴とする食器洗い機。
【請求項４】
請求項１〜３のいずれか一つに記載されている食器洗い機において、
前記回転拘束手段として電磁的拘束方式を用いたことを特徴とする食器洗い機。
【請求項５】
請求項１〜４のいずれか一つに記載されている食器洗い機において、
前記保持部材は前記食器収納かごに着脱自在に設けたことを特徴とする食器洗い機。
【請求項６】
請求項１〜３のいずれか一つに記載されている食器洗い機において、
前記保持部材を前記食器収納かごに着脱自在に設け、かつ保持部材に設けた回転拘束足で前記回転拘束手段を形成したことを特徴とする食器洗い機。
【請求項７】
洗浄槽と、この洗浄槽内に備えられる食器収納かごと、この食器収納かごの下側に位置し、かつ洗浄水を噴射する上向噴射孔を有する回転洗浄ノズルと、前記洗浄槽内に還流する洗浄水を加圧して前記回転洗浄ノズルに供給する洗浄ポンプとを備える食器洗い機にあって、
前記上向噴射孔を前記回転洗浄ノズルの回転中心に設け、
底部または胴部の径よりも入り口の口径が小さく、入り口の口径よりも深さが深い胴長の食器が下向になるように保持できる保持部材を前記回転洗浄ノズルの回転中心に位置するように前記食器収納かごに設けたことを特徴とする食器洗い機。
【請求項８】
洗浄槽と、この洗浄槽内に備えられる食器収納かごと、食器収納かごの下側に位置し、かつ洗浄水を噴射する噴射孔を有する回転洗浄ノズルと、前記洗浄槽内に還流する洗浄水を吸い込み／加圧して前記回転洗浄ノズルに供給する洗浄ポンプとを備える食器洗い機にあって、
前記洗浄槽の底面側には、上向きに噴射する固定噴射ノズルを前記回転洗浄ノズルの回転領域外のところに設け、底部または胴部の径よりも入り口の口径が小さく、入り口の口径よりも深さが深い胴長の食器が入り口を前記固定噴射ノズルに向けて下向に保持される保持部材を前記食器収納かごに設けたことを特徴とする食器洗い機。
【請求項９】
請求項１〜９の何れか一つに記載された食器洗い機において、
前記保持部材が弾力性を有する複数本の保持支杆で形成されていることを特徴とする食器洗い機。
【発明の詳細な説明】
【技術分野】
【０００１】
本発明は、底部または胴部の径よりも入り口の口径が小さく、入り口の口径よりも深さが深い胴長の哺乳ビンや徳利等の食器を洗浄するのに好適な食器洗い機に関する。
【背景技術】
【０００２】
洗浄水をほぼ垂直に棒状に噴射して洗浄する食器洗い機は、特許第３１４７４０４号公報で示されている。この食器洗い機は、回転洗浄ノズルの回転位置上に噴射口はあるが、回転にともなう斜めの噴射流になるため、底部または胴部の径よりも入り口の口径が小さく、入り口の口径よりも深さが深い胴長の食器内には十分な量の洗浄水が流入しない。
【０００３】
【特許文献１】特許第３１４７４０４号公報
【発明の開示】
【発明が解決しようとする課題】
【０００４】
このため、底部または胴部の径よりも入り口の口径が小さく、入り口の口径よりも深さが深い胴長の食器の内部は、食器洗い機による洗浄に不向きで、手洗いに頼るほかなかった。
【０００５】
上記の問題に対処し、本発明は、底部または胴部の径よりも入り口の口径が小さく、入り口の口径よりも深さが深い胴長の食器の内部を良く洗うことができる食器洗い機を提供することを目的とする。
【課題を解決するための手段】
【０００６】
本発明は、食器収納かごの下側に位置し、かつ食器に洗浄水を噴射する上向噴射孔を有する回転洗浄ノズルを備える食器洗い機にあって、底部または胴部の径よりも入り口の口径が小さく、入り口の口径よりも深さが深い胴長の食器を入り口が下向になるように保持できる保持部材を食器収納かごに設け、下向に保持される食器の下方に上向噴射孔が来るように回転洗浄ノズルの回転を拘束する回転拘束手段を設けたことを特徴とする。
【発明の効果】
【０００７】
本発明によれば、底部または胴部の径よりも入り口の口径が小さく、入り口の口径よりも深さが深い胴長の食器が入り口をした向きにして食器収納かごに保持される状態のもとで、洗浄水が食器内に吹き付けられるので食器の内側を良く洗うことができる。
【発明を実施するための最良の形態】
【０００８】
本発明の実施形態に係る実施例について、図面に基づいて説明する。
【０００９】
まず、図1〜図４、図８、図９、図１２に示す実施例について述べる。
【００１０】
この食器洗い機は、前面側が開閉自在なる蓋体で閉じられる開口を有する洗浄槽１を有する。食器類が載せられる食器収納かご３ａ、３ｂは、洗浄槽１の底側（下側）と天井側（上側）に出し入れ自在に備わる。
【００１１】
回転洗浄ノズル４ａ、４ｂ、５ａ、５ｂ、５ｃは、洗浄槽１の底側と天井側に回転自在に設けられる。底側の回転洗浄ノズル４ａ、４ｂは、底側の食器収納かご３ａの下方に備わる。天井側の回転洗浄ノズル５ａ、５ｂ、５ｃは、天井側の食器収納かご３ｂの上側に備わる。底側の回転洗浄ノズル４ａ、４ｂは、上方に向けて洗浄水を噴射する。天井側の回転洗浄ノズル５ａ、５ｂ、５ｃは、下方に向けて洗浄水を噴射する。
【００１２】
洗浄槽１に洗浄水を供給する給水手段としての給水弁６や給水管７、洗浄槽１の底部溜部に溜まる洗浄水の水位を検知する洗浄水位検知手段としてのフロート８や水位検知スイッチ９が備わる。
【００１３】
洗浄槽１内の洗浄水や乾燥空気を加熱する加熱手段としてのヒータ１０、洗浄槽１内の
洗浄水の水温を検知する洗浄水温検知手段としての水温センサー１１、洗浄槽1内を還流する洗浄水を吸い込み／加圧して前記回転洗浄ノズル４ａ、４ｂ、５ａ、５ｂ、５ｃに送る洗浄ポンプ１２、水流切り替え装置１３（洗浄ポンプ１２の洗浄水を回転洗浄ノズル４ａ、４ｂや回転洗浄ノズル５ａ、５ｂ、５ｃに送る）、水流切り替え装置１３から回転洗浄ノズル４ａ、４ｂに至る配管１４、水流切り替え装置１３から回転洗浄ノズル５ａ、５ｂ、５ｃに至る配管１５が備わる。
【００１４】
洗浄槽１の底部溜部に溜まる洗浄水を排水する排水手段としての排水ポンプや排水官１７、洗浄槽１の乾燥空気を送る送風手段としての電動送風機１８や通風ダクト１９が備わる。水流切り替え装置１３、給水手段、洗浄水温検知手段、加熱手段、排水手段、洗浄水位検知手段、洗浄ポンプ１２、送風手段等を制御するマイクロコンプュータで構成された制御手段が備わる。これらの装置や部品は、食器洗い機の外枠２０に備わる。
【００１５】
図３、図４は、底側の回転洗浄ノズル４ａ、４ｂを示したもので、回転洗浄ノズル４ａ、４ｂには、上向噴射孔３０ａ、３０ｂ、３０ｃ、３０ｄ、３０ｅと、斜上向噴射孔３０ｆ、３０ｇが設けられている。上向噴射孔３０ａ、３０ｂ、３０ｃ、３０ｄ、３０ｅの噴射水は、真上に噴射される。上向噴射孔３０ａ、３０ｂ、３０ｄ、３０ｅは、回転洗浄ノズル４ａ、４ｂの回転中心から離れたところに設けられているが、上向噴射孔３０ｃは回転中心に設けられている。
【００１６】
斜上向噴射孔３０ｆ、３０ｇの噴射水は、斜め上向きに噴射される。斜め上向きに噴射の反動で、回転洗浄ノズル４ａ、４ｂは矢印の方向の回転力を受ける。
【００１７】
回転洗浄ノズル４ａ、４ｂの外周側の下面には、鉄片部材４０が設けられ、鉄片部材４０に対向するように洗浄槽１の底側には、電磁石４１が備わる。この電磁石４１と鉄片部材４０で、回転洗浄ノズル４ａ、４ｂの回転を拘束する電磁的拘束方式の回転拘束手段が構成される。電磁石４１は絶縁カバー４５で被覆されているので、漏電防止が施されている。
【００１８】
この電磁的拘束方式の回転拘束手段は電磁石４１に通電することにより拘束力が生じ、通電を止めることにより拘束力が失われる。電磁石４１への通電のオン・オフは、前記制御手段にとって行われる。電磁石４１に通電されなければ、回転洗浄ノズル４ａ、４ｂは回転の拘束が行われないので、哺乳瓶４２の洗浄を伴わない通常に洗浄が行われる。
【００１９】
底側の食器収納かご３ａは、哺乳瓶４２を保持する保持部材４３を有する。この保持部材４３は、哺乳瓶、徳利銚子、醤油さし等を食器を保持する。これらの食器は、皿、お碗、茶碗、コップと違い、底部または胴部の径よりも入り口の口径が小さく、入り口の口径よりも深さが深い胴長の形をしている。具体的には、哺乳瓶４２は、底部の径が４０〜５０ｍｍ、胴部の径が３０ｍｍ程度、口径が２０〜２５ｍｍ、丈（深さ）が１００〜１７０ｍｍである。
【００２０】
保持部材４３は、4本の保持支杆４３ａと足回り４３ｂを有する。足回り４３ｂは、食器収納かご３ａに取り付けられる。この足回り４３ｂは食器収納かご３ａに溶接で固定または取り外し自在／着脱自在に取り付けられる。足回り４３ｂが食器収納かご３ａに溶接されたものは、この種の食器を洗う専用の食器収納かごになる。足回り４３ｂが食器収納かご３ａに着脱自在に取り付けられるものは兼用の食器収納かごで、保持部材４３を外すことで通状の食器収納かごになる。
【００２１】
保持部材４３は、回転が拘束されている回転洗浄ノズル４ａ、４ｂの上向噴射孔３０ａ、３０ｂ、３０ｃ、３０ｄ、３０ｅの真上に位置するように設けるので、哺乳瓶等の食器は上向噴射孔３０ａ、３０ｂ、３０ｃ、３０ｄ、３０ｅの真上に、口を下向きにして逆さに置かれる。
【００２２】
回転洗浄ノズル４ａ、４ｂは回転するので、保持部材４３を上向噴射孔３０ａ、３０ｂ、３０ｃ、３０ｄ、３０ｅが回転軌跡上に来るように設ける。そして、回転する回転洗浄ノズル４ａ、４ｂの上向噴射孔３０ａ、３０ｂ、３０ｃ、３０ｄ、３０ｅが保持部材４３の真下で止まるように回転拘束手段で回転を拘束する。こうすることで、保持部材４３が上向噴射孔３０ａ、３０ｂ、３０ｃ、３０ｄ、３０ｅの真上に位置するので、食器が上向噴射孔３０ａ、３０ｂ、３０ｃ、３０ｄ、３０ｅの真上に置かれるのである。
【００２３】
保持部材４３を構成する4本の保持支杆４３ａは、弾力性を有する針金で形成され、かつ先細形状を有する。先細になっているので、入り口が狭くても、食器の中に保持部材４３が容易に挿入されるので、食器の取り付け、取り外ずしは容易に行なわれる。また食器は保持部材４３の弾性力で内側から保持されるので、傾き無く立った状態に安定的に置かれる。
【００２４】
さて、食器収納かご３ａの保持部材４３に哺乳瓶等の食器を取り付け、食器洗い機を運転すると、洗浄ポンプ１２から送られる圧力が高まった洗浄水が回転洗浄ノズル４ａ、４ｂに供給される。洗浄水は回転洗浄ノズル４ａ、４ｂの斜上向噴射孔３０ｆ、３０ｇや上向噴射孔３０ａ、３０ｂ、３０ｃ、３０ｄ、３０ｅから噴射する。斜上向噴射孔３０ｆ、３０ｇから斜め上向きに噴射する反動で、回転洗浄ノズル４ａ、４ｂは矢印の方向に回転推進力を受ける。上向噴射孔３０ａ、３０ｂ、３０ｃ、３０ｄ、３０ｅからの噴射水は、真上の噴流になる。
【００２５】
哺乳瓶等の食器だけを洗うときは、回転洗浄ノズル４ａ、４ｂだけに洗浄水が供給されるように水流切り替え装置１３がセットされているので、回転洗浄ノズル５ａ、５ｂ、５ｃには洗浄水が供給されない。回転洗浄ノズル５ａ、５ｂ、５ｃに洗浄水が供給されない分、回転洗浄ノズル４ａ、４ｂの斜上向噴射孔３０ｆ、３０ｇや上向噴射孔３０ａ、３０ｂ、３０ｃ、３０ｄ、３０ｅからの噴射量が増える。
【００２６】
電磁石４１の通電で、回転拘束手段の拘束が生じているため、回転洗浄ノズル４ａ、４ｂに回転推進力が作用しているが、回転洗浄ノズル４ａ、４ｂは回転しない。回転洗浄ノズル４ａ、４ｂは止まった状態で、上向噴射孔３０ａ、３０ｂ、３０ｃ、３０ｄ、３０ｅから上向きに洗浄水を噴射する。この噴射洗浄水の真上に哺乳瓶等の食器が入り口を真向きにして逆立に置かれているので、食器の内部は噴射される噴射洗浄水でよく洗われる。しかも、洗った洗浄水は、入り口を下にして逆立になっている食器に溜まることなく、排水されるので、内部に水が残ることなく食器はよく洗浄されるのである。
【００２７】
保持部材４３は、前述した4本の弾力を有する保持支杆４３ａで食器の内側から押えるように食器を保持するので、傾き無く立った状態に安定的に置かれる。このため、洗浄中に洗浄水が強く食器に強く当たっても、逆さまに直立した状態が保たれ、食器の内部が良く洗われる。
【００２８】
保持部材４３の保持支杆４３ａは針金でつくられているので、食器の入り口が保持部材４３で塞がれてしまうことはなく、食器の内部に噴射される洗浄水の妨げにならず、洗浄は損ねられない。
【００２９】
上向噴射孔３０ｃは回転洗浄ノズル４ａ、４ｂの回転中心に位置するので、上向噴射孔３０ｃの上に設けられた保持部材４３に食器を保持して洗浄するときは、回転洗浄ノズル４ａ、４ｂの回転を止めずに洗浄できる。もちろん、回転洗浄ノズル４ａ、４ｂの回転を止めても変わりなく食器の洗浄はできる。
【００３０】
次に図５〜図７、図１０、図１１に示す本発明の他の実施例について述べる。
【００３１】
先の実施例と共通するところは同じ符号を付して説明を簡略する。
【００３２】
この実施例は、保持部材４３Ｃに回転拘束手段としての回転拘束足４４を設けたところが先の実施例と違う。この保持部材４３Ｃを食器収納かご３ａに取り付けることにより、回転拘束足４４が回転洗浄ノズル４ａ、４ｂの側部に位置するようになるので、回転拘束足４４で回転洗浄ノズル４ａ、４ｂの回転は拘束される。
【００３３】
保持部材４３Ｃの食器収納かご３ａへの取り付ける位置は、回転洗浄ノズル４ａ、４ｂの上向噴射孔が保持部材４３Ｃの真下で回転洗浄ノズル４ａ、４ｂが拘束されるところを選ぶ。この回転拘束足４４が付いた保持部材４３Ｃは一つで、他は回転拘束足のない保持部材４３を用いる。
【００３４】
この回転拘束足４４を用いた機械的拘束方式は、先の実施例の電気的拘束方式に比べ、電磁石や制御手段が不要で構成が簡単である良さがある。
【００３５】
図１１に示すように保持部材４３、保持部材４３Ｃに哺乳瓶を保持しないときには、保持部材は４本の保持支杆４３ａで皿４６を保持して皿洗の用途にも転用できるのである。
【００３６】
次に図１２に示す本発明の他の実施例について述べる。
【００３７】
先の実施例と共通するところは同じ符号を付して説明を簡略する。
【００３８】
この実施例は、洗浄槽１の底側に固定噴射ノズル５０を設けたところが先の実施例と違う。この固定噴射ノズル５０には、回転洗浄ノズルと同様に洗浄ポンプ１２から洗浄水蛾供給されるので、洗浄水の噴射が行われる。
【００３９】
固定噴射ノズル５０は、回転洗浄ノズル４ａ，４ｂの回転領域外のところに上向きに設けられる。食器収納かご３ａに設ける保持部材４３は、固定噴射ノズル５０の真上に配置する。保持部材４３に哺乳瓶を逆さに立て洗浄は、固定噴射ノズル５０が回転洗浄ノズル４ａ，４ｂの回転領域外に置かれているので、回転洗浄ノズル４ａ，４ｂの回転により固定噴射ノズル５０からの噴流が遮られることはなく、哺乳瓶の内部が良く洗われる。
【００４０】
固定噴射ノズル５０による方式は、回転洗浄ノズルの回転を拘束する回転機械的拘束方式や電気的拘束方式の回転拘束手段が不要である。
【図面の簡単な説明】
【００４１】
【図１】本発明の実施例に係わる食器洗い機の縦断面を示すもので、哺乳瓶の食器を回転洗浄ノズルの回転中心の上側に置いた状態が示されている。
【図２】本発明の実施例に係わる食器洗い機の縦断面を示すもので、哺乳瓶の食器を回転洗浄ノズルの回転中心から離して置いた状態が示されている。
【図３】本発明の実施例に係わるもので、回転洗浄ノズルと保持材に保持された哺乳瓶との位置関係や電磁的拘束方式の回転拘束手段を示す図。
【図４】図３のＡ−Ａ断面図である。
【図５】本発明の他の実施例に係わる食器洗い機の縦断面を示すもので、哺乳瓶の食器を回転洗浄ノズルの回転中心から離して置いた状態が示されている。
【図６】本発明の他の実施例に係わるもので、回転洗浄ノズルと保持部材の保持された哺乳瓶の位置関係や機械的な回転拘束手段を示す図。
【図７】図６のＢ−Ｂ断面図である。
【図８】図３、図４に示す保持部材の拡大正面図。
【図９】図３、図４に示す保持部材の拡大平面図。
【図１０】図６、図７に示す保持部材の拡大正面図。
【図１１】図６、図７に示す保持部材の拡大平面図。
【図１２】本発明の他の実施例に係わるもので、食器洗い機の横断面図。
【符号の説明】
【００４２】
１…洗浄槽、３ａ…食器収納かご、３０ａ〜３０ｅ…上向噴射孔、４ａ，４ｂ…回転洗浄ノズル、１２…洗浄ポンプ、４２…哺乳瓶（食器）、４０…鉄片部材（回転拘束手段）、
４１…電磁石（回転拘束手段）。
【図１】
2005185664.tif 000003
【図２】
2005185664.tif 000004
【図３】
2005185664.tif 000005
【図４】
2005185664.tif 000006
【図５】
2005185664.tif 000007
【図６】
2005185664.tif 000008
【図７】
2005185664.tif 000009
【図８】
2005185664.tif 000010
【図９】
2005185664.tif 000011
【図１０】
2005185664.tif 000012
【図１１】
2005185664.tif 000013
【図１２】
2005185664.tif 000014